(57)【要約】【課題】  本発明は、織機の振動を支持床に伝達しないようにして、織機の操業を安定化させる防振装置ユニット並びにそれを備えた織機を提供する。【解決手段】  織機の下部に取付ける防振装置ユニットであって、端部に下向きの垂直面１−２を有する上面板１−１、１−２と、支持床側に配する下面板２とを有し、該上面板と下面板との間を金属ばね３をもって弾性的に連結し、下面板２から立ち上がる取付け台５に固定した取付け板の垂直面４−１と上面板の垂直面１−２との間に粘弾性体６を固着してなることを特徴とする織機用防振装置。【効果】  本発明では、装置をコンパクト化し、防振架台等を用いないで、織機に直接取付けることができるので作業が容易となる。又、装置をユニット化したことにより、設置スペースの低減を図ると共に、直接機械の揺れに影響する全体重心位置を下げることができる。したがって、織機本体の揺れの低減が期待でき、織機本体の操業を安定化させると共に、作業者環境の改善にもつながる。【選択図】  図１
2005336622.tif 000002
【特許請求の範囲】
【請求項１】
織機の下部に取付ける防振装置ユニットであって、端部に下向きの垂直面を有する上面板と、接地側に配する下面板とを有し、該上面板と下面板との間を金属ばねをもって弾性的に連結し、下面板から立ち上がる取付け台に固定した取付け板の垂直面と上面板の垂直面との間に粘弾性体を固着してなることを特徴とする織機用防振装置。
【請求項２】
金属ばねをユニット内で複数個設けてなる請求項１記載の織機用防振装置。
【請求項３】
弾性支持した織機に発生する揺れと同方向の揺れに対し粘弾性体を並行に配してなる請求項１又は２に記載の織機用防振装置。
【請求項４】
織機の下部に請求項１乃至３のいずれか１項に記載の織機用防振装置を取付けてなる織機。
【発明の詳細な説明】
【技術分野】
【０００１】
本発明は、織機の振動を支持床に伝達しないようにして、織機の操業を安定化させる防振装置ユニット並びにそれを備えた織機に関する。
【背景技術】
【０００２】
従来、織機は開口枠の上下動、おさの揺動などによって大きな振動が発生し、作業状態が悪くなるとともに、織機に発生した振動が支持床に伝達して振動公害が発生する恐れがあった。この問題を解決するため、例えば特許文献１には、制御式消振ダンパとして空気ばねによって防振架台を水平に保つための調整を行うことが提案されている。又、空気ばねに空気を供給するときに防振架台が振動を繰り返すことがあり、その対策として供給空気の流量を絞るための流量制御弁を設けたり（特許文献２参照）補助タンクを設けたりすることが提案されている。さらには、織機の下面に主支持手段と補助支持手段とを設け、補助手段の支持力を調整する手段を設けた装置（特許文献３参照）などが知られている。
【０００３】
上記装置において防振効果を高めるためには、織機の回転数に対して、防振装置の固有振動数を低くしなければならない。防振架台を空気ばねで支持した場合、固有振動数を低くするには、補助タンクを併用したり、大容量の空気ばねを用いたりしなければならない。そうした場合、防振装置の高さが高くなったり、設置スペースが大きくなったりして、作業がやりにくくなる欠点がある。さらには、空気ばねを用いない装置であっても構成が複雑で装置の取付けに手間取ったりすることがある。
【０００４】
これらの従来技術の問題点を解決するために、従来ではばね定数の小さな巻きばねを用いて空気ばねの荷重を減らす提案（特許文献４参照）もなされている。
【特許文献１】特開平２−２４２９５０号公報
【特許文献２】実開平５−３０１８０号公報
【特許文献３】特開平７−８２６３４号公報
【特許文献４】特許第２９３９１０１号公報
【発明の開示】
【発明が解決しようとする課題】
【０００５】
本発明では、上記従来の技術を踏まえて、空気ばねの使用をなくし、織機の重量に対応して機能を選択しユニット化した装置となし、これを該当する織機に取付けることによって、設置スペースの低減を図るとともに、固有振動数調整等の手間を省いて、据え付け工数を低減する防振装置を提供しようとするものである。
【課題を解決するための手段】
【０００６】
本発明は、織機の下部に取付ける防振装置ユニットであって、端部に下向きの垂直面を有する上面板と、支持床側に配する下面板とを有し、該上面板と下面板との間を金属ばねをもって弾性的に連結し、下面板から立ち上がる取付け台に固定した取付け板の垂直面と上面板の垂直面との間に粘弾性体を固着してなることを特徴とする織機用防振装置である。
【０００７】
本発明では、空気ばねを使用していないので、相当の板厚をもった取付け架台の設置の必要がなくなり装置をコンパクト化できる。又、金属ばねの大きさ、数さらには粘弾性体の種類を適宜選択し、織機の重量に適した標準化したユニットを用意しておいて、それを織機の下部の四隅に簡単に取付けることによって、防振織機とすることができる。織機の経糸の重量変動による機械の水平度については、許容できる傾きを防振装置に内蔵している金属ばね及び粘弾性体によって調整する。
【０００８】
粘弾性体は、流体のように流動性を持ち、粘性抵抗により力を発揮する特徴と、ばねのように弾性的な特徴を持ち、変形に比例した力を発揮する特徴を併せ持った材料である。粘弾性体は耐候性、耐久性に優れた高分子材であり、この高分子材は長い分子の鎖がからみあった構造をしており、変形が加わるとその鎖が伸縮することとなり、その際の分子間の摩擦抵抗が振動エネルギの吸収効果を発揮し、粘弾性体全体が若干発熱し、熱エネルギに変換し、振動を効果的に吸収して減衰させると言われている材料である。かかる粘弾性体は、支持床面に対し垂直に金属ばねと併設することによって、織機の主加振方向である前後、上下方向の力をその粘弾性体のせん断方向で振動を減衰させる。特に織機を弾性支持した場合、操業に悪影響を及ぼす前後方向の揺れが発生する。同方向の揺れに対し粘弾性体を並行に配し、効率的に揺れの減衰を図る。
１つのユニットにおける金属ばねの数は、織機の重量によって適宜選ぶが、通常は４個を基準とする。又、本発明のユニットの織機への取付け数は通常は織機下部の四隅で良い。
【発明の効果】
【０００９】
本発明では、金属ばねと粘弾性体を用いて装置をコンパクト化し、防振架台等を用いないで、織機に直接取付けることができる。したがって、防振架台等を含めた従来装置は重量物扱いであり、据付けを行う場合には相当の重機が必要であったが、本発明ではそのようなことがなく、ピット等に入れなくても作業が可能となり、作業が容易となる。又、装置をユニット化したことにより、設置スペースの低減を図ると共に、直接機械の揺れに影響する全体の重心位置を下げることができる。したがって、織機本体の揺れの低減が期待でき、織機本体の操業を安定化させると共に、作業者環境の改善にもつながる。
【発明を実施するための最良の形態】
【００１０】
以下本発明の実施例を図面に基づいて説明する。
図３は本発明の実施の概念を示す。織機Ａの下部の四隅に本発明に係る防振装置ユニットを取付けて地盤上に安定的に設置する。
図１はユニットＢの正面図であり、図２は同平面図である。図中、１−１は上面板の水平面であり、その両端には下方に延びる垂直面１−２が形成されている。２は支持床に載置される下面板である。上面板と下面板との間には適正なばね定数に設定された金属ばね３を４個配設してある。下面板２の両端近くには、取付け台５が設けてあり、その取付け台５の上面には断面Ｌ字型の取付け板の水平面４−２がボルト９及びナット１０によって固定されている。この時、取付け台５と取付け板の水平面４−２との間にはシム１２を介在させて、水平面の微調整を行う。
【００１１】
上面板の垂直面１−２と取付け板の垂直面４−１との間には、粘弾性体６が固定されている。又、織機側の取付け部８と上面板の水平面１−１との間にはシム７を介在させ、水平面を調整しながらボルト、ナット１１を締付け、本発明のユニットを織機に固定する。
このような防振装置はユニットとして構成され、織機下部の各四隅に取付け、各シムの締付け具合をそれぞれの箇所における荷重に合わせて水平面を調整し、それぞれのダンピング率を補正することができ、振動減衰効果が向上する。織機は前側と後側の重量がアンバランスなので、前後あるいは左右の各ばね定数を予め対応して調整しておくとよい。
そして、各金属ばね３のクッション作用によって発生する揺れは、粘弾性体６の減衰作用によって吸収し、短時間の中に安定した保持状態を得る。
【図面の簡単な説明】
【００１２】
【図１】本発明の実施例の正面図である。
【図２】本発明の実施例の平面図である。
【図３】本発明の防振装置を取付けた織機の説明図である。
【符号の説明】
【００１３】
１−１  上面板の水平面
１−２  上面板の垂直面
２      下面板
３      金属ばね
４−１  支持板の垂直面
４−２  支持板の水平面
５      支持台
６      粘弾性体
７      シム
８      取付け部
９      ボルト
１０    ナット
１１    ボルト
１２    シム
【図１】
2005336622.tif 000003
【図２】
2005336622.tif 000004
【図３】
2005336622.tif 000005